(57)【要約】【課題】デジタルカメラやフィルムカメラで撮影した写真に基づく画像データを簡単かつ様々な形態で家庭用プリンタに出力することができる情報記録媒体の提供。【解決手段】情報記録媒体に、デジタルカメラで撮影された写真に基づく画像データや写真フィルムをスキャンして得られた画像データと、画像データを家庭用プリンタに出力するためのプログラムとを記録したものであり、更にこのプログラムを、コンピュータを、表示手段に、複数の画像データに基づく複数の画像を、各々の画像に対する印刷情報を入力可能に表示させるための手段、印刷手段に、複数の画像を印刷情報に基づいて同時にプリント出力させるための手段などとして機能させることにより、画像データを簡単に家庭用プリンタに出力することができる。【選択図】図３
2005080268.tif 000002
【特許請求の範囲】
【請求項１】
複数の画像データが記録された情報記録媒体において、
コンピュータを、
印刷手段に、前記複数の画像データに基づく複数の画像を、各々の前記画像に対して入力された印刷情報に基づいて同時にプリント出力させるための手段として機能させるプログラムが記憶されていることを特徴とする情報記録媒体。
【請求項２】
複数の画像データが記録された情報記録媒体において、
コンピュータを、
表示手段に、前記複数の画像データに基づく複数の画像を、各々の前記画像に対する印刷情報を入力可能に表示させるための手段、
印刷手段に、前記複数の画像を前記印刷情報に基づいて同時にプリント出力させるための手段として機能させるプログラムが記憶されていることを特徴とする情報記録媒体。
【請求項３】
前記画像データは、デジタルカメラで撮影された写真に基づく画像データ又はフィルムをスキャンして得られた画像データであることを特徴とする請求項１又は２に記載の情報記録媒体。
【発明の詳細な説明】
【技術分野】
【０００１】
本発明は、情報記録媒体に関し、特に、写真に基づく画像データが記録された情報記録媒体に関する。
【背景技術】
【０００２】
近年、写真に関連する様々なサービスが提供されるようになってきている。例えば、ユーザがデジタルカメラで写真を撮影し、写真の画像データを記録したデジタルカメラやデジタルカメラ用メディアをミニラボ等の写真店に持ち込むと、店舗内に設けられた無人端末（キオスク）や店頭端末などを用いて、デジタルカメラやメディアに記録された画像データをＣＤ−Ｒ、ＤＶＤ−Ｒなどの情報記録媒体に書き込むことができる（例えば、特開平５−１８２３７３号公報等）。
【０００３】
また、ユーザがフィルムカメラで写真を撮影し、撮影済みの写真フィルムをミニラボ等の写真店に持ち込むと、写真店では写真フィルムを現像した後、スキャナ等の読み取り装置を用いて画像データを読み取り、ＣＤ−Ｒ、ＤＶＤ−Ｒなどの情報記録媒体に書き込んでユーザに提供するサービスも行われている。
【０００４】
そして、ユーザは画像データが書き込まれた情報記録媒体をパソコンなどに挿入し、パソコンにインストールされているスライドショープログラムなどのアプリケーションを用いて画像データの表示、編集、画像処理などを行って、気に入った画像データをプリントするなどして画像データを活用することができる。
【０００５】
【特許文献１】特開平５−１８２３７３号公報（第４−６頁、第３図）
【発明の開示】
【発明が解決しようとする課題】
【０００６】
上記サービスで情報記録媒体に記録された画像データを用いてプリントを作成する方法として、情報記録媒体を写真店に持ち込みプリント注文票に注文情報を書き込んでプリント注文を行う方法や、写真店などに設置されたキオスクに情報記録媒体を挿入し、画面上で注文情報を入力してプリント注文を行う方法などがあるが、プリント注文票に注文情報を書き込む方法はプリント注文に手間がかかり、又、キオスクで注文情報を入力する方法では、その場で画像データの選択やプリントサイズ、プリント枚数の設定等を行わなければならないため、落ち着いてプリント注文ができないという問題がある。
【０００７】
一方、近年、高性能化、低価格化の家庭用プリンタが販売されており、情報記録媒体に記録された画像データを自宅でプリント出力するユーザが増加している。家庭用プリンタでプリント出力する場合、通常、パソコンに予めインストールされているソフトウェアやプリンタ製造会社が提供するソフトウェア（以下、プリント出力用プログラムと呼ぶ。）を起動して画像データをプリントすることになるが、この種のプログラムは文書や図面などの様々なデータをプリント出力できるように製作されたものであるため、デジタルカメラやフィルムカメラで撮影した写真の画像データをプリント出力するのに適した機能を必ずしも備えておらず、使い勝手が悪いという問題がある。
【０００８】
例えば、画像データを加工せずにそのままの状態でプリント出力する場合はよいが、画像データにトリミングやサイズ変換、色補正などの画像処理を施したり、複数の画像データを配列してインデックスプリントを作成したり、画像データをテンプレートにはめ込んでポストカードを作成しようとしても上記プログラムでは一般にこのような処理を行うことはできないため、別の画像処理プログラムなどを用いて画像データを加工した後にプリント出力用プログラムを用いてプリント出力しなければならず、操作が煩雑になってしまうという問題があった。
【０００９】
本発明は、上記問題点に鑑みてなされたものであって、その主たる目的は、デジタルカメラやフィルムカメラで撮影した写真に基づく画像データを簡単かつ様々な形態で家庭用プリンタで出力することができる情報記録媒体を提供することにある。
【課題を解決するための手段】
【００１０】
上記目的を達成するため、本発明の情報記録媒体は、複数の画像データが記録された情報記録媒体において、コンピュータを、印刷手段に、前記複数の画像データに基づく複数の画像を、各々の前記画像に対して入力された印刷情報に基づいて同時にプリント出力させるための手段として機能させるプログラムが記憶されているものである。
【００１１】
また、本発明の情報記録媒体は、複数の画像データが記録された情報記録媒体において、コンピュータを、表示手段に、前記複数の画像データに基づく複数の画像を、各々の前記画像に対する印刷情報を入力可能に表示させるための手段、印刷手段に、前記複数の画像を前記印刷情報に基づいて同時にプリント出力させるための手段として機能させるプログラムが記憶されているものである。
【００１２】
本発明においては、前記画像データは、デジタルカメラで撮影された写真に基づく画像データ又はフィルムをスキャンして得られた画像データであることが好ましい。
【００１３】
このように、本発明の情報記録媒体には、デジタルカメラで撮影された写真に基づく画像データや写真フィルムをスキャンして得られた画像データと共に、画像データを家庭用プリンタに出力するためのプログラムがコンピュータで読み取り可能に記録されているため、ユーザは情報記録媒体をパソコンに挿入するのみで、簡単に画像データを家庭用プリンタに出力することができる。また、コンピュータを、画像データを一覧表示する手段、画像データにトリミングやサイズ変換、色補正などの画像処理を施す手段、複数の画像データを配列してインデックスプリントを作成する手段、画像データをテンプレートにはめ込み、枠や文字を付加してポストカードを作成する手段などとして機能させることができるプログラムを情報記録媒体に書き込むことにより、画像表示プログラムや画像処理プログラムなどを別途用意しなくても、画像データを様々な形態で家庭用プリンタに出力することができる。
【発明の効果】
【００１４】
本発明の情報記録媒体によれば、下記記載の効果を奏する。
【００１５】
本発明の第１の効果は、ユーザは情報記録媒体に記録された画像データを簡単に家庭用プリンタにプリント出力することができるということである。
【００１６】
その理由は、情報記録媒体には、画像データのみならず該画像データを家庭用プリンタにプリント出力するのに適した機能を備えるプログラムが記録されているからである。
【００１７】
また、本発明の第２の効果は、ユーザは画像表示プログラムや画像処理プログラムなどを別途用意することなく、情報記録媒体に記録された画像データをユーザの好みに応じて様々な形態で家庭用プリンタにプリント出力することができるということである。
【００１８】
その理由は、情報記録媒体に記録されるプログラムは、コンピュータを、印刷情報を入力できるように画像データを一覧表示させるための手段、画像データに基づく複数の画像を同時にプリント出力させるための手段、画像データに各種画像処理を施すための手段、インデックスプリントやポストカードなどを作成するための手段などとして機能させることができるからである。
【発明を実施するための最良の形態】
【００１９】
従来技術で示したように、デジタルカメラやフィルムカメラで撮影した写真に基づく画像データをＣＤ−Ｒ等の情報記録媒体に書き込むサービスが普及しており、ユーザはパソコンを用いて画像データを閲覧したり、パソコンに予めインストールされたプリント出力用プログラムやプリンタ製造業者が提供するプリント出力用プログラムを用いて画像データを家庭用プリンタにプリント出力することができるが、上記プリント出力用プログラムは、文書や図面などの広範なデータをプリント出力するために製作されたされたものであるため、写真に基づく画像データを表示したりプリント出力する用途には必ずしも適しておらず、画像データを簡単かつ様々な形態でプリント出力することができなかった。
【００２０】
また、画像データを表示したり、画像データに画像処理を施したり、各種プリントを作成することができるプリント出力用プログラムは市販されているが、ユーザが自らこのようなプログラムを用意するのは煩雑であり、また、市販のプログラムはＣＤ−Ｒ書き込みサービスで書き込まれる画像データの処理に適した機能を必ずしも備えるものではなく、使い勝手がよいものではなかった。
【００２１】
そこで、本発明では、上記サービスで画像データが書き込まれる情報記録媒体に、該画像データを家庭用プリンタでプリント出力するのに適した機能を備えるプログラムを書き込んでユーザに提供することにより、画像データを簡単かつ様々な形態でプリント出力できるようにしている。
【実施例１】
【００２２】
まず、本発明の第１の実施例に係る情報記録媒体について、図１乃至図１１を参照して説明する。図１は、第１の実施例に係る情報記録媒体作成システムの構成を模式的に示す図であり、図２は、情報記録装置の主な手段を示すブロック図である。また、図３は、情報記録媒体の作成手順を示すフローチャート図であり、図４は、情報記録媒体のデータ領域を模式的に示す図である。また、図５は、ホームプリントプログラムの処理の手順を示すフローチャート図であり、図６乃至図１１は、ホームプリントプログラムにより表示手段に表示される画面の構成例を示す図である。
【００２３】
図１に示すように、本実施例の情報記録媒体作成システム１は、デジタルカメラやカメラ付き携帯電話機などのカメラ機能を備えた機器（以下、デジタルカメラ５として説明する。）を用いて写真を撮影するユーザ２と、ミニラボ等の写真店９とを備えて構成される。写真店９には、デジタルカメラ５やデジタルカメラ用の情報記録媒体（例えば、コンパクトフラッシュ（登録商標）やスマートメディア、メモリースティック、マルチメディアカード、ＳＤメモリーカード等、本明細書ではこれらを総称してメディア６と呼ぶ。）から画像データを読み取り、該画像データを家庭用プリンタでプリント出力するのに適した機能を備えるプログラム（以下、ホームプリントプログラムと呼ぶ。）と共にＣＤ−ＲやＤＶＤ−Ｒ等のディスク型情報記録媒体（以下、情報記録媒体８と呼ぶ。）に書き込む情報記録装置１０を備え、ユーザ２は情報記録媒体８の画像データを閲覧、プリント出力のためのパソコン３と家庭用プリンタ４とを有している。
【００２４】
なお、本実施例では、情報記録装置１０として、注文の受付や画像データの読み込み、画像データ及びホームプリントプログラムの書き込み等の一連の処理を行うことができる無人端末（キオスク）を用いる例について説明するが、例えば、注文の受付を注文受付端末で行い、画像データの読み込み／書き込みを情報記録装置１０で行う構成としたり、写真店９の店員に対して注文を行い、店員が店内の端末を操作して画像データの読み込み／書き込みを行う構成としてもよい。また、図１では、ユーザ２がデジタルカメラ５やメディア６を写真店９に持ち込む場合を示しているが、これらをコンビニエンスストア等の注文店に持ち込み、注文店を経由して写真店９で情報記録媒体８の作成が行われる構成としてもよい。
【００２５】
また、図２に示すように、情報記録装置１０には、デジタルカメラ５を接続又はメディア６を装着して記録された画像データを読み取るデータ入力手段１２と、注文情報の入力や画像データの選択などの操作を行うための操作手段１３及び表示手段１４と、ホームプリントプログラムを記憶するプログラム記憶手段１６と、読み取った画像データとホームプリントプログラムとを情報記録媒体８に記録するデータ記録手段１５とを少なくとも備える。
【００２６】
上記構成の情報記録媒体作成システム１を用いて、画像データとホームプリントプログラムとが記録された情報記録媒体８が作成されるまでの手順について、図３のフローチャート図を参照して説明する。
【００２７】
まず、ステップＳ１０１で、ユーザ２はデジタルカメラ５を用いて写真を撮影し、写真の画像データが記録されたデジタルカメラ５やメディア６を写真店９に持ち込む。そして、ステップＳ１０２で、写真店９内の陳列棚等に陳列されている情報記録媒体８を購入する。
【００２８】
なお、ユーザ２が保有する情報記録媒体を使用することも可能であるが、その場合、規格の異なる情報記録媒体を使用してしまったり、データの記録容量の少ない情報記録媒体を使用してしまう場合などもあるため、ユーザ２が写真店９で情報記録媒体８を購入する構成とすることが好ましいが、別の写真店で購入した情報記録媒体８を用いたり、以前に画像データの書き込みを行った情報記録媒体８を再度用いることもできる。また、ここでは情報記録装置１０を操作する前に情報記録媒体８を購入する構成としているが、キオスク型の情報記録装置１０の場合、内部にＣＤ−Ｒディスペンサ等を備え、ＣＤ−Ｒを自動的に供給することができる場合もあり、その場合は、情報記録媒体８を購入せずにそのまま情報記録装置１０で注文を行えばよい。
【００２９】
次に、ステップＳ１０３で、ユーザ２はデジタルカメラ５を情報記録装置１０の端子に接続したり、メディア６をスロットに挿入すると共に、購入した情報記録媒体８をＣＤ−Ｒドライブなどに挿入する。すると、情報記録装置１０のデータ入力手段１２は自動的に又はユーザ２の指示に従ってデジタルカメラ５やメディア６から画像データを読み取る。
【００３０】
次に、ステップＳ１０４で、デジタルカメラ５やメディア４に記録された画像データの中から情報記録媒体８に書き込む画像データを選択するか否かを判断し、画像データを選択する場合は、ステップＳ１０５で、表示手段１４に表示された画像データの中から操作手段１３を用いて所望の画像データを指定する。
【００３１】
次に、ステップＳ１０６で、データ記録手段１５は、プログラム記憶手段１６からホームプリントプログラムを読み出し、デジタルカメラ５やメディア６から読み取った画像データと共に情報記録媒体８に書き込む。その際、読み取った画像データをそのまま情報記録媒体８に記録してもよいが、データサイズの変換やファイル形式の変換などの処理を行ってから記録するようにしてもよい。また、複数のデジタルカメラ５やメディア６から読み取った画像データが情報記録媒体８にばらばらに記録されると画像データの検索や整理の際に不便であるので、予め所定の名称（画像データの書き込みが行われる地域、店舗、日時を特定するための情報、書き込みを依頼するユーザ２を特定するための情報などを用いて作成されたユニークな名称）のフォルダを作成しておき、画像データをグループ分けしてフォルダに分割して格納するようにしてもよい。
【００３２】
また、本実施例では画像データをパソコン３を用いて再生する場合を前提としているため、読み取った画像データをそのまま、又はデータサイズの変換やファイル形式の変換などを行って情報記録媒体８に記録する構成としているが、情報記録媒体８をＤＶＤプレーヤやＤＶＤレコーダ等の画像再生機器でも再生可能とする場合には、読み取った画像データに基づいて動画データを作成したり、読み取った画像データを画像再生機器で読み取り可能な形式に変換して、元の画像データと変換後の画像データとホームプリントプログラムとを情報記録媒体８に書き込む構成とすることもできる。この場合、パソコンでは、画像データが情報記録媒体８のどの領域に書き込まれていても読み込むことができるのに対して、画像再生機器の場合、データシーク順（すなわち、データを読み込む順序）が設定されており、画像データが記録される領域によっては画像データを読み込むことができなくなってしまうため、画像再生機器用の画像データが所定の領域（一般的にはディスク型記録媒体の場合は内側）に記録されるように記録順を制御する。
【００３３】
このような方法で画像データが書き込まれた情報記録媒体８は、例えば図４に示すような構造となり、ディスク型情報記録媒体８の内側の画像再生機器用データ領域８ａには画像再生機器用に変換された画像データが記録され、その外側のパソコン用データ領域８ｂには、読み取った画像データとホームプリントプログラムとが記録される。
【００３４】
そして、ステップＳ１０７で、画像データを書き込んだ情報記録媒体８を排出してユーザ２に提供し、一連の処理を終了する。
【００３５】
なお、上記説明では、情報記録装置１０のプログラム記憶手段１６にホームプリントプログラムを記憶しておき、データ記録手段１５で読み取った画像データとホームプリントプログラムとを情報記録媒体８に書き込む構成としたが、写真店９に陳列する情報記録媒体８に予めホームプリントプログラムを書き込んでおき、情報記録装置１０では、画像データのみを追記する構成とすることもできる。この場合は情報記録装置１０にプログラム記憶手段１６を備える必要はない。
【００３６】
このように、本実施例の情報記録媒体作成システム１では、ユーザ２がデジタルカメラ５やメディア６を提供すると、これらから画像データを読み取り、画像データと該画像データを家庭用プリンタ４でプリント出力するのに適した機能を備えるホームプリントプログラムとが情報記録媒体８に記録されてユーザ２に提供されるため、ユーザ２はパソコン３と家庭用プリンタ４とを用いて簡単に画像データをプリント出力することができる。
【００３７】
次に、図５のフローチャート図及び図６乃至図１１の画面構成例を参照して、本実施例の情報記録媒体８を用いて家庭用プリンタ４で画像データをプリント出力する手順について説明する。
【００３８】
なお、本発明の情報記録媒体８に記録されるホームプリントプログラムは、コンピュータを、情報記録媒体８に記録された画像データに基づく複数の画像を入力した印刷情報に基づいて同時に家庭用プリンタ４にプリント出力させるための手段として機能させるものであればよいが、情報記録媒体８の価値を高めるために、例えば、コンピュータを、画像データをグループ単位（デジタルカメラ５やメディア６、写真フィルム７単位など）で表示手段に一覧表示させるための手段、各々の画像に対する印刷情報を入力させるための手段、画像データにトリミングやサイズ変換、色補正などの各種画像処理を施すための手段、複数の画像データを配列したインデックスプリントを作成するための手段、画像データをテンプレートにはめ込み、枠や文字を付加してポストカードを作成するための手段などとして機能させることができるように構成されていることが好ましい。以下では、ホームプリントプログラムを、コンピュータを上記各手段として機能させることができるものとして説明するが、上記の全ての手段として機能させる必要はなく、上記手段以外、例えば、シールやカレンダー、ポスターなどを作成する手段としても機能させてもよい。
【００３９】
まず、ステップＳ２０１で、ユーザ２がパソコン３に本実施例の情報記録媒体８を挿入し、ホームプリントプログラムを起動する（又は情報記録媒体８をパソコン３に挿入すると自動的にホームプリントプログラムが起動する構成としてもよい。）と、図６に示すようなメニュー画面１７が表示される。このメニュー画面１７には、例えば、デジタルカメラ５やメディア６、フィルム７毎の画像データを一覧表示する画像表示欄１７ａと、画像データに対して施す処理を明示したスイッチが設けられた処理選択欄１７ｂとが表示される。
【００４０】
ここで、パソコン３に予めインストールされているプリント出力用プログラムやプリンタ製造業者が提供するプリント出力用プログラムでは、一般に画像データを一覧表示することはできず、ユーザ２は画像表示用のプログラムを別途用意するか、プレビュー画面などで画像データを確認する必要があり、プリント出力する画像データを簡単に選択することができなかった。これに対して、本実施例の場合、ホームプリントプログラムには画像データを一覧表示する機能を備えているため、画像データの選択からプリント出力までの操作を一貫して行うことができ、操作性を格段に向上させることができる。
【００４１】
次に、ステップＳ２０２で、ユーザ２は処理選択欄１７ｂから所望の処理を選択する。例えば、画像表示欄１７ａの中から画像データを選択して「画像処理」を選択すると、選択した画像データが拡大表示され、色彩、輝度、コントラスト等の調整や、画像サイズの変換、画像データの回転、トリミング、赤目の修正などの画像処理が可能となる。このような機能を設けることによって、画像処理用のプログラムを別途用意する必要がなくなり、簡単に画像データをプリント出力に適したデータに変換することができる。
【００４２】
また、ステップＳ２０２で、「一括プリント」を選択すると、例えば図７に示すような画像選択画面１８が表示され、ユーザ２は、ステップ２０３でプリント出力する画像データを選択し、選択した画像データに対してプリント出力する枚数を入力する。そして、プリント設定ボタンを押すと、例えば図８に示すようなプリント設定画面１９が表示される。このプリント設定画面１９では、プリントサイズの設定、縁あり／なしの指定、日付の印刷の有無、プリンタや用紙の指定（これらのプリントに関する情報を印刷情報と呼ぶ。）等が可能であり、ステップＳ２０４でこれらの項目を設定した後、印刷ボタンを押すと、例えば図９に示すような印刷画面２０が表示される。この印刷画面２０には、印刷範囲と部数の設定、印刷位置の微調整などを行う欄と、画像データの印刷イメージを表示する欄とが設けられており、ステップＳ２０５でこれらの項目を設定した後、印刷実行ボタンを押すと、選択した画像データが設定した条件で家庭用プリンタ４にプリント出力される。
【００４３】
また、ステップＳ２０２で、「インデックスプリント」を選択すると、図７と同様の画像選択画面１８が表示され、ステップ２０６でプリント出力する画像データを選択した後、プリント設定ボタンを押すと、図１０に示すようなプリント設定画面２１が表示される。このプリント設定画面２１では、画像データのレイアウトの選択、枠あり／なしの指定、日付の印刷の有無、プリンタや用紙の指定等が可能であり、ステップＳ２０７でこれらの項目を選択した後、印刷ボタンを押すと、図９と同様の印刷画面２０が表示される。そして印刷範囲や部数の設定、印刷位置の微調整を行った後、印刷実行ボタンを押すと、ステップＳ２０８で選択した画像データが指定したレイアウトで家庭用プリンタ４にプリント出力される。このようなインデックスプリントを作成可能とすることによって、情報記録媒体８にどのような画像データが記録されているかを容易に確認することができるため、画像データの検索を容易にすることができる。
【００４４】
また、ステップＳ２０２で、「ポストカード」を選択すると、図７と同様の画像選択画面１８が表示され、ステップ２０９でプリント出力する画像データを選択した後、プリント設定ボタンを押すと、例えば図１１に示すようなプリント設定画面２２が表示される。このプリント設定画面２２では、画像データと文字のレイアウトの選択、プリンタの指定等が可能であり、ステップＳ２１０でこれらの項目を選択した後、レイアウトボタンを押すとレイアウト画面（図示せず）が表示される。そして、ステップＳ２１１で画像やテキストの位置、サイズの調整、枠の設定を行った後、印刷ボタンを押すと、図９と同様の印刷画面２０が表示され、印刷範囲や部数の設定、印刷位置の微調整を行った後、印刷実行ボタンを押すと、ステップＳ２１２で選択した画像データが指定したレイアウトで家庭用プリンタ４にプリント出力される。
【００４５】
このように、情報記録媒体８に記録されるホームプリントプログラムを、コンピュータを画像データに基づく複数の画像を同時にプリント出力させるための手段として機能させるのみならず、印刷情報を入力できるように画像データを一覧表示する手段、画像データのトリミングやサイズ変換、色補正などの処理を施す手段、画像データを基にインデックスプリントやポストカードなどを作成する手段などとして機能させることにより、ユーザ２は単に画像データをプリント出力することができるのみならず、ユーザ２の好みに応じた各種形態のプリントを出力することができる。
【実施例２】
【００４６】
次に、本発明の第２の実施例に係る情報記録媒体について、図１２及び図１３を参照して説明する。図１２は、第２の実施例に係る情報記録媒体作成システムの構成を模式的に示す図であり、図１３は、情報記録媒体の作成手順を示すフローチャート図である。
【００４７】
前記した第１の実施例では、ユーザ２がデジタルカメラ５で撮影した写真の画像データを提供する場合を示したが、フィルムカメラで撮影した写真が記録されたネガフィルムやポジフィルム等の写真フィルム７を提供する構成とすることもできる。その場合は、図１２に示すように、写真店９に写真フィルム７を現像する手段、現像済みの写真フィルム７をスキャンして画像データとして読み取る手段、読み取った画像データとホームプリントプログラムとを情報記録媒体８に書き込む手段を備えた情報記録装置１０と注文受付端末１１とを設ける。
【００４８】
なお、第１の実施例と同様に、写真店９の店員に対して注文を行う構成としてもよく、また、図１２では、ユーザ２が写真フィルム７を写真店９に持ち込む場合を示しているが、これらをコンビニエンスストア等の注文店に持ち込み、注文店を経由して写真店９で情報記録媒体８の作成が行われる構成としてもよい。
【００４９】
上記構成の情報記録媒体作成システム１を用いて、画像データとホームプリントプログラムとが記録された情報記録媒体８が作成されるまでの手順について、図１３のフローチャート図を参照して説明する。
【００５０】
まず、ステップＳ３０１で、ユーザ２はフィルムカメラを用いて写真を撮影し、写真画像が記録された写真フィルム７を写真店９に持ち込む。次に、ステップＳ３０２で、写真フィルム７のコマ画像の中から情報記録媒体８に書き込む画像データを選択するか否かを判断し、画像データを選択する場合は、ステップＳ３０３で、注文受付端末１１を操作して（又は注文票に記入して）所望のコマを指定する。
【００５１】
次に、ステップＳ３０４で、写真店９は、情報記録装置１０を用いて写真フィルム７を現像し、ステップＳ３０５で、現像済みの写真フィルム７をスキャナ等を用いてスキャンして画像データを読み取る。
【００５２】
その後、第１の実施例と同様に、データ記録手段１５は、記憶手段１６からホームプリントプログラムを読み出し、画像データと共に情報記録媒体８に書き込む（ステップＳ３０６）。その際、予め所定の名称のフォルダを作成しておき、画像データをグループ分けしてフォルダに分割して格納するようにしてもよく、また、読み取った画像データに基づいて動画データを作成したり、読み取った画像データを画像再生機器で読み取り可能な形式に変換して、元の画像データと変換後の画像データとホームプリントプログラムとを情報記録媒体８に書き込んでもよい。そして、ステップＳ３０７で、画像データを書き込んだ情報記録媒体８を排出してユーザ２に提供し、一連の処理を終了する。
【００５３】
このように、本実施例の情報記録媒体作成システム１では、ユーザ２が写真フィルム７を提供すると、写真フィルム７から画像データを読み取り、画像データと該画像データを家庭用プリンタ４で各種プリントとして出力するのに適した機能を備えるホームプリントプログラムとを情報記録媒体８に記録してユーザ２に提供するため、ユーザ２は、情報記録媒体８に適した機能を備えるホームプリントプログラムを用いて簡単に各種形態のプリントを出力することができる。
【００５４】
なお、上記実施例では、画像データとホームプリントプログラムのみを情報記録媒体８に記録する構成としたが、本発明は上記実施例に限定されるものではなく、画像データを音楽付きスライドショーとして表示するためのプログラムや音楽データ等の他のデータやアプリケーションなどを合わせて記録することもできる。
【図面の簡単な説明】
【００５５】
【図１】本発明の第１の実施例に係る情報記録媒体作成システムの構成を模式的に示す図である。
【図２】本発明の第１の実施例に係る情報記録装置の主な手段を示すブロック図である。
【図３】本発明の第１の実施例に係る情報記録媒体の作成手順を示すフローチャート図である。
【図４】本発明の第１の実施例に係る情報記録媒体のデータ領域を模式的に示す図である。
【図５】本発明の第１の実施例に係る情報記録媒体を用いたプリント出力手順を示すフローチャート図である。
【図６】本発明の第１の実施例に係るホームプリントプログラムの表示画面（メニュー画面）を示す図である。
【図７】本発明の第１の実施例に係るホームプリントプログラムの表示画面（画像選択画面）を示す図である。
【図８】本発明の第１の実施例に係るホームプリントプログラムの表示画面（プリント設定画面）を示す図である。
【図９】本発明の第１の実施例に係るホームプリントプログラムの表示画面（印刷画面）を示す図である。
【図１０】本発明の第１の実施例に係るホームプリントプログラムの表示画面（プリント設定画面）を示す図である。
【図１１】本発明の第１の実施例に係るホームプリントプログラムの表示画面（プリント設定画面）を示す図である。
【図１２】本発明の第２の実施例に係る情報記録媒体作成システムの構成を模式的に示す図である。
【図１３】本発明の第２の実施例に係る情報記録媒体の作成手順を示すフローチャート図である。
【符号の説明】
【００５６】
１  情報記録媒体作成システム
２  ユーザ
３  パソコン
４  家庭用プリンタ
５  デジタルカメラ
６  メディア
７  写真フィルム
８  情報記録媒体
９  写真店
１０  情報記録装置
１１  注文受付端末
１２  データ入力手段
１３  操作手段
１４  表示手段
１５  データ記録手段
１６  プログラム記憶手段
１７  メニュー画面
１７ａ  画像表示欄
１７ｂ  処理選択欄
１８  画像選択画面
１９、２１、２２  プリント設定画面
２０  印刷画面
【図１】
2005080268.tif 000003
【図２】
2005080268.tif 000004
【図３】
2005080268.tif 000005
【図４】
2005080268.tif 000006
【図５】
2005080268.tif 000007
【図６】
2005080268.tif 000008
【図７】
2005080268.tif 000009
【図８】
2005080268.tif 000010
【図９】
2005080268.tif 000011
【図１０】
2005080268.tif 000012
【図１１】
2005080268.tif 000013
【図１２】
2005080268.tif 000014
【図１３】
2005080268.tif 000015